(57)【要約】【課題】構造的に強く且つ魚にアピールする力が強い釣り用錘を提供する。【解決手段】釣り用錘は、上側錘１と、下側錘２と、上端部及び下端部が上側錘の下端部及び下側錘の上端部にそれぞれ嵌合して上側錘と下側錘を連結する中空のパイプ３と、上側錘とパイプと下側錘の中心を貫通して上側錘と下側錘を結合する金属芯線４と、パイプ内に収容された粒状又は鈴で構成した発音部材及び／又は該パイプ内で金属芯線に遊嵌された多角形金属リング７とから成り、上側錘１を下側錘２よりも重くし、パイプ３の外表面を鏡面仕上げし、パイプと多角形金属リング７とからラトルを構成する。【選択図】図２
0003205492.tif 000002
【実用新案登録請求の範囲】
【請求項１】
上側錘と、下側錘と、上端部及び下端部が前記上側錘の下端部及び前記下側錘の上端部にそれぞれ嵌合して前記上側錘と前記下側錘を連結するパイプと、前記上側錘と前記パイプと前記下側錘の中心を貫通して前記上側錘と前記下側錘を結合する金属芯線と、前記パイプ内に収容された粒状又は鈴で構成した発音部材及び／又は該パイプ内で前記金属芯線に遊嵌したリングで構成した発音部材とから成り、前記上側錘を前記下側錘よりも重くし、前記パイプと前記発音部材とからラトルを構成したことを特徴とする釣り用錘。
【請求項２】
前記金属芯線の上端部を前記上側錘の頂部から突出させてアイに形成する共に、前記金属芯線の下端部を前記下側錘の底面から突出させ且つ折曲げて該底面に係合するようにしたことを特徴とする、請求項１に記載の釣り用錘。
【請求項３】
前記金属芯線を、上端部が前記上側錘の頂部から突出してアイに形成され且つ下端部が前記上側錘の底面から突出してＬ字形部に形成された上側芯線と、下端部が前記下側錘に嵌入固着され且つ上端部が前記下側錘の頂面から突出してＬ字形部に形成された下側芯線とから構成し、前記上側芯線のＬ字形部と前記下側芯線のＬ字形部とを係合させたことを特徴とする、請求項１に記載の釣り用錘。
【請求項４】
前記パイプ内で前記金属芯線に発音部材として、多角形及び／又は円形の金属リングを遊嵌し、前記パイプと前記多角形金属リング及び／又は前記円形金属リングからラトルを構成したことを特徴とする、請求項１乃至３のいずれか１項に記載の釣り用錘。
【請求項５】
前記アイにスプリットリングを連結したことを特徴とする、請求項１乃至４のいずれか１項に記載の釣り用錘。
【請求項６】
錘全体の形状を流線形にすると共に、前記パイプの外表面を鏡面仕上げとしたことを特徴とする、請求項１乃至５のいずれか１項に記載の釣り用錘。
【考案の詳細な説明】
【技術分野】
【０００１】
本考案は、高い集魚効果を発揮してより多くの釣果が得られる釣り用錘に関する。
【背景技術】
【０００２】
従来、この種の釣り用錘として、魚の就餌音や餌となる甲殻類が動く音を模した音を派生するラトルルームを設けたり、表面を効率良く光を反射する鏡面に形成したり、錘本体が左右に揺動するようにして、集魚効果を高めたものがある。
【０００３】
例えば、特許文献１に記載の釣り用錘は、錘本体の軸方向略中央部に集魚部を配置し、この集魚部より上方に配置される道糸側部の重量を該集魚部より下方に配置される針側部よりも重く形成して、道糸のシャクリ動作で錘本体を水中で上下動させた時に該錘本体が揺動し易いようにしたり、該集魚部を鏡面体に形成して、該集魚部の反射光が遠くにいる魚にも届くようにしている。
【０００４】
また、特許文献２に記載の釣り用錘は、錘本体の外周の周方向に形成された溝に複数の転動粒体を入れた状態で該錘本体の外周に外皮部材を固定し、溝と外皮部材で囲まれた密閉室（ラトルルーム）に転動粒体を自由運動可能に収納して、水中で錘が動くと密閉室内で転動体が動いて衝突音を発生するようにしたり、外皮部材に光を反射する金属箔を埋設して、錘が水中でキラキラ光って魚を引き寄せるようにしている。
【先行技術文献】
【特許文献】
【０００５】
【特許文献１】特開２００２−２７２３３６号公報
【特許文献１】特開平５−２８４８８６号公報
【考案の概要】
【考案が解決しようとする課題】
【０００６】
ところが、特許文献１に記載の釣り用錘は、集魚部と道糸側部、集魚部と針側部のいずれもネジなどの個別の固着手段で相互にそれぞれ連結することにより一体化し、特許文献２に記載の釣り用錘は、錘本体の外周に樹脂製外皮部を圧着して固定することにより一体化していたため、錘が激しく揺動した時にネジなどの弛みや接着剤の劣化などにより一部が外れてしまうなど、いずれも構造的に弱いという問題があった。
また、特許文献２に記載の釣り用錘は、錘本体が揺動して密閉室内の転動体が外皮部材に衝突したり転動体同士が衝突する場合に音が発生するが、衝突転動体が粒体であり且つ外皮部材が樹脂であったため、音質が一定で音量が比較的小さく、魚にアピールする力が弱いなどの課題があった。
【０００７】
本考案の目的は、音や反射光のきらめき等で集魚効果を発揮する釣り用錘において、構造的に強く且つ魚にアピールする力が強い、釣り用錘を提供することにある。
【課題を解決するための手段】
【０００８】
本考案による釣り用錘は、上側錘と、下側錘と、上端部及び下端部が前記上側錘の下端部及び前記下側錘の上端部にそれぞれ嵌合して前記上側錘と前記下側錘を連結するパイプと、前記上側錘と前記パイプと前記下側錘の中心を貫通して前記上側錘と前記下側錘を結合する金属芯線と、前記パイプ内に収容された粒状又は鈴で構成した発音部材及び／又は該パイプ内で前記金属芯線に遊嵌されたリングで構成した発音部材とから成り、前記上側錘を前記下側錘よりも重くし、前記パイプと前記発音部材とからラトルを構成したことを特徴としている。
【０００９】
この構造によれば、上側錘と下側錘とがパイプを介して連結され且つ上側錘と下側錘とが金属芯線により一体的に結合されているので、釣り用錘が激しく揺動してもその一部が外れてしまうようなことが無く、構造的に強い釣り用錘となる。
【００１０】
また、上側錘を下側錘よりも重くしているので錘全体が揺動し易く、前記パイプと前記発音部材とからラトルを構成しているので両者の衝突の状態で音質が変化し且つ音量も大きい。従って、魚にアピールする力が強い釣り用錘となる。特にラトルのパイプに衝突する金属リングを多角形にすると、釣り用錘を横方向に転がすだけでも音が生じ、釣り用錘を止めておけば多角形金属リングは動かず、音を出さないことも可能である。
【００１１】
上記釣り用錘において、前記金属芯線の上端部を前記上側錘の頂部から突出させてアイ、すなわち、輪（目の型）に形成すると共に、前記金属芯線の下端部を前記下側錘の底面から突出させ且つ折曲げて該底面に係合するようにしている。
【００１２】
この構造によれば、アイ（輪）にスナップを介してラインを接続した場合、金属芯線を介して釣り用錘全体をラインで吊り下げることになるので、ラインが接続された釣りざおを用いて釣り用錘を激しく上下動させてもその一部が外れてしまうようなことが無い。
【００１３】
上記釣り用錘において、前記金属芯線を、上端部が前記上側錘の頂部から突出してアイに形成され且つ下端部が前記上側錘の底面から突出してＬ字形部に形成された上側芯線と、下端部が前記下側錘に嵌入固着され且つ上端部が前記下側錘の頂面から突出してＬ字形部に形成された下側芯線とから構成し、前記上側芯線のＬ字形部と前記下側芯線のＬ字形部とを係合させて構成することもできる。
【００１４】
この構造によれば、アイにスナップを介してラインを接続した場合、互いに係合接続された上側芯線と下側芯線を介して釣り用錘全体をラインで吊り下げることになるので、ラインが接続された釣りざおを用いて釣り用錘を激しく上下動させてもその一部が外れてしまうようなことが無い。また、下側錘に芯線を通すための貫通穴を設ける必要がないので、錘内への浸水のリスクが軽減される。
【００１５】
上記釣り用錘において、前記パイプ内で前記金属芯線に発音部材として、好ましくは円形金属リングを更に遊嵌し、前記パイプと前記多角形金属リングと前記円形金属リングとからラトルを構成する。
【００１６】
この構造によれば、釣り用錘を揺動させた時、前記パイプに前記多角形金属リングが衝突して音を発生するだけでなく、前記パイプに前記円形金属リングが衝突して音を発生し、さらに前記両金属リング同志が衝突して音を発生するので、多様な音質の音を発生させることができ、音による集魚効果の高い釣り用錘となる。
上記釣り用錘において、パイプの外表面を鏡面仕上げすることで、効率良く光を反射して魚にアピールする効果が向上する。
【００１７】
上記釣り用錘において、前記アイにスプリットリングを連結するように構成することが好ましい。
【００１８】
この釣り用錘は良く動くため、アイにスナップを介してラインを接続しただけではスナップの形状によっては外れる恐れがあるが、この構造によれば、アイにスプリットリングとスナップを介してラインを接続するので、それを防ぐことができる。
【００１９】
上記釣り用錘において、好ましくは錘全体の形状を流線形にすると共に、パイプ３の外表面を鏡面仕上げする。
【００２０】
この構造によれば、沈下速度が速く、船からの流しによる糸ふけも最小限に抑えることができる。また、ラインの巻き上げの際の抵抗も小さく、餌の有無も感知し易い。さらに、釣り用錘を握り易く、餌づけの作業をスムーズに行えるので、一日に何度となく手返しを行う釣りに好適である。
【考案の効果】
【００２１】
上述の如く、本考案によれば、構造的に強く且つ魚にアピールする力が強い釣り用錘を提供することができる。
【図面の簡単な説明】
【００２２】
【図１】本考案による釣り用錘の第１の実施形態の正面図である。
【図２】上記第１実施形態の縦断面図である。
【図３】本考案による釣り用錘の使用状態を示す説明図である。
【図４】本考案による釣り用錘の第２の実施形態の縦断面図である。
【図５】上記第２実施形態の組立方法を示す要部縦断面図である。
【考案を実施するための形態】
【００２３】
図１は本考案による釣り用錘の第１実施形態を示す正面図である。図中、１は硬質鉛，タングステン，真鍮等を材料とする頂部側が細い半紡錘状の上側錘、２は硬質鉛，タングステン，真鍮等を材料とする底部側が細い半紡錘状の下側錘、３は上端部及び下端部が上側錘１の下端部及び下側錘２の上端部にそれぞれ嵌合接着されて上側錘１と下側錘２を連結しているステンレス，真鍮，強化プラスチック等を材料とするパイプであって、これら全体で流線形の釣り用錘を形成している。そして、上側錘１の体積を下側錘２の体積よりも大きくして、上側錘１を下側錘２よりも重くしている。また、パイプ１の外表面を鏡面仕上げしている。
【００２４】
図２は上記第１実施形態の縦断面図である。図中、４は上側錘１とパイプ３と下側錘２の中心を貫通して上側錘１と前下側錘２を結合しているステンレス等を材料とする金属芯線であって、その上端部を上側錘１の頂部から突出させて輪状に屈曲させてアイ５に形成すると共に、その下端部４ａを下側錘２の底面から突出させ且つ折り曲げて該底面に係合するようにして、上側錘１とパイプ３と下側錘２とを堅固に結合している。なお、アイ５にはスプリットリング６が連結されている。
【００２５】
７はパイプ３内で金属芯線４に遊嵌されたステンレス等を材料とする六角ナット等の多角形金属リング、８は同じくパイプ３内で金属芯線４に遊嵌されたステンレス等を材料とする円形金属リングであって、パイプ３と多角形金属リング７及び円形金属リング８とからラトルを構成している。なお、パイプ３と多角形リング７或いは円形リング８のみからラトルを構成しても良い。パイプ３内の空間をラトルルームと呼ぶ。魚のうち、例えばかわはぎは、光，音，動き等に興味を示し、これらを発する物体に近づいてくる習性をもっており、そのうち音に関しては、かわはぎが特に好む音色や音量などが研究されている。  本考案の三分割タイプの錘によれば、パイプ３に内蔵する発音部材の材質や形状・サイズなどを種々に変更したものを製造し又は交換することができる。また、発音部材を芯線４に嵌合するリングとすることなく、パイプ３の内周面及び芯線に当接して音を発する発音部材であれば、特にリングに限らず、粒状体や鈴などであってもよい。
【００２６】
次に本考案による釣り用錘の使用方法について説明する。
図３に示したように、アイ５に連結されたスプリットリング６にスナップ９を介してライン１０の一端を接続する。なお、アイ５に直接スナップ９を介してライン１０の一端を接続しても良い。ライン１０の他端は図示しない釣りざおに接続されている。１１は、ライン１０に接続された釣り針である。
【００２７】
本考案による釣り用錘を用いた、例えばカワハギを釣るための「タタキ釣り」について説明する。
まず海底まで釣り用錘を沈め、錘が着底したら糸ふけをとる。続いて、釣りざおの竿先を激しく上下動させる。すると釣り用錘は海底において上下動するが、上側錘１が下側錘２よりも重いので、錘全体が激しく揺動する。
【００２８】
錘全体が激しく揺動すると、パイプ３の外表面で効率良く光を反射してそのきらめきにより魚に強くアピールする。それと同時に、パイプ３内で発音部材としての多角形金属リング７や円形金属リング８がパイプ３に衝突して音を発生するだけでなく、両金属リング７，８同志が衝突して音を発生するので、多様な音質の音、例えば魚の就餌音や餌となる甲殻類が動く際の音を模した音を発生させることができ、魚に強くアピールする。従って、反射光のきらめき及び音による集魚効果が高い。
【００２９】
そして、釣り用錘の周辺に集まってきた魚が釣り針１１に付けられたエサに食いつきアタリとなり、この時に合せを行う、即ちタイミング良く釣りざおを引き上げることにより、魚を釣ることができる。
【００３０】
また、上述の如く釣り用錘が激しく揺動しても、上側錘１と下側錘２とがパイプ３を介して連結され且つ上側錘１と下側錘２とが金属芯線４により結合されているので、その一部が外れてしまうようなことが無く、構造的に強い。
【００３１】
次に、本考案の第２の実施形態を説明する。図４は本考案による釣り用錘の第２実施形態を示す縦断面図である。この実施の形態の場合、金属芯線４を、上端部が上側錘１の頂部から突出してアイ５に形成され且つ下端部が上側錘１の底面から突出してＬ字形部１２ａに形成された上側芯線１２と、下端部が下側錘２に嵌入固着され且つ上端部が下側錘２の頂面から突出してＬ字形部１３ａに形成された下側芯線１３とから構成し、上側芯線１２のＬ字形部１２ａと下側芯線１３のＬ字形部１３ａとを係合させている。
【００３２】
この第２実施形態の組立方法について説明する。まず、図５に示したように、パイプ３の上端部を上側錘１の下端部に一部嵌合させ且つパイプ３の下端部を下側錘２の上端部に一部嵌合させた状態から、上側錘１と下側錘２を上下からパイプ３内に押し込み、その後上側錘１と下側錘２をそれらの中心軸の周りに互いに反対方向に回動させると、図４に示したように上側芯線１２のＬ字形部１２ａと下側芯線１３のＬ字形部１３ａとが係合して両芯線１２及び１３が接続される。
【００３３】
従って、上述の如く釣り用錘が激しく揺動しても、上側錘１と下側錘２とがパイプ３を介して連結され且つ上側錘１と下側錘２とが互いに接続された上側芯線１２と下側芯線１３により結合されているので、その一部が外れてしまうようなことが無く、構造的に強い。
【符号の説明】
【００３４】
１…上側錘、２…下側錘、３…パイプ、４…金属芯線、５…アイ、６…スプリットリング、７…多角形金属リング、８…円形金属リング、９…スナップ、１０…ライン、１１…釣り針、１２…上側芯線、１３…下側芯線
【図１】
0003205492.tif 000003
【図２】
0003205492.tif 000004
【図３】
0003205492.tif 000005
【図４】
0003205492.tif 000006
【図５】
0003205492.tif 000007